(57)【特許請求の範囲】
【請求項１】
清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、該芯材に突起（４２）を設けるとともに、さらに、該清掃シートに該突起（４２）が嵌合する固定穴を設けたことを特徴とする掃除機用床ノズルの回転ロータ。
【請求項２】
清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、該芯材は、可撓性を有するゴムや、プラスチックおよび軟質金属のいずれかからなり、清掃シートの腰の弱さを補強するため、断面を円形に補強用片を加えた形状（３６Ｄ）、または、逆Ｔ字形状（３６Ｂ）としたことを特徴とする掃除機用床ノズルの回転ロータ。
【請求項３】
清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、清掃シートの腰の弱さを補強するため、ゴムやプラスチックからなる軟質ブレードが併用されたことを特徴とする掃除機用床ノズルの回転ロータ。
【請求項４】
清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、さらに、天然繊維や化学繊維からなる毛材を、該清掃シートに加えて併用したことを特徴とする掃除機用床ノズルの回転ロータ。
【請求項５】
清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、該清掃シートの自由端にゴムまたは軟質樹脂からなる重量片をコーティングしたことを特徴とする掃除機用床ノズルの回転ロータ。
【発明の詳細な説明】
【０００１】
【発明の属する技術分野】
本発明は、掃除機のアタッチメントとして使用される床ノズルの、駆動体によって回転する回転ロータに関するものである。
【０００２】
【従来の技術】
図１９、図２０は、例えば特開平９−４７４０４号公報に示された従来の掃除機用床ノズルの断面図及び回転ロータの断面図である。図において、１は掃除機用の床ノズル本体であり、底面には塵埃を吸引するための横長の開口２が形成され、該開口２内に、回転ロータ３が設けられている。回転ロータ３は、ロータ４と清掃体５ａ，５ｂより構成され、清掃体５ａ，５ｂはその基部６がロータ４の溝７に挿入されて固定されている。清掃体５ｂは弾性を有する樹脂等で形成されている。清掃体５ａは、布製の清掃シート８と弾性を有する樹脂等を用いた基部６を一体成形することにより作られている。
【０００３】
このような従来の掃除機用床ノズルにおいて、駆動体（図示せず）により回転ロータ３を回転させると、清掃体５ａの自由端９ａが床面を摺りながら磨くことができる。なお清掃体５ｂはその自由端９ｂが床面には当接しない長さに設定されており、じゅうたん上の清掃時のみに効果を発揮するものとなっている。
【０００４】
【発明が解決しようとする課題】
上記のような従来の掃除機用床ノズルでは、床面を磨く効果を得るために設けられた清掃体５ａは、回転ロータ３の回転時に清掃シート８が基部６から抜けないように清掃シート８と基部６とを一体的に成形している。このため製造工程において非常に手間のかかるものとなっていた。
【０００５】
この発明は、かかる問題点を解決するためになされたもので、一体成形等の手間のかかる工程を用いずに、簡単な構成で布等の清掃シートをロータに固定し、かつ抜けることのない回転ロータを提供することを目的としている。
【０００６】
【課題を解決するための手段】
上記の目的を達成するため、請求項１の発明の掃除機用床ノズルの回転ロータは、次の手段を採った。すなわち、清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、さらに、該芯材に突起（４２）を設けるとともに、該清掃シートに該突起（４２）が嵌合する固定穴を設けたことを特徴としている。
【０００７】
また、請求項２の発明の掃除機用床ノズルの回転ロータは、清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、該芯材は、可撓性を有するゴムや、プラスチックおよび軟質金属のいずれかからなり、清掃シートの腰の弱さを補強するため、断面を円形に補強用片を加えた形状（３６Ｄ）、または、逆Ｔ字形状（３６Ｂ）としたことを特徴としている。
また、請求項３の発明の掃除機用床ノズルの回転ロータは、清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、清掃シートの腰の弱さを補強するため、ゴムやプラスチックからなる軟質ブレードが併用されたことを特徴としている。
また、請求項４の発明の掃除機用床ノズルの回転ロータは、清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、さらに、天然繊維や化学繊維からなる毛材を、該清掃シートに加えて併用したことを特徴としている。
また、請求項５の発明の掃除機用床ノズルの回転ロータは、清掃体をロータに設けた複数の支持溝に挿入保持し、本体ケースの底面に設けた横長の開口の近傍に回転するように設けた掃除機用床ノズルの回転ロータにおいて、該清掃体は織布や不織布からなる清掃シートを、芯材を挟んで２つ折りに形成され、該清掃シートの自由端にゴムまたは軟質樹脂からなる重量片をコーティングしたことを特徴としている。
【０００８】
【発明の実施の形態】
実施の形態１
図１から図６に実施の形態１を示す。図において、２０は床ノズルであり、以下にその構成を説明する。２１は、底面に横長の開口２２を有する下ケース２３と、この下ケース２３を覆う上ケース２４より形成された本体ケースでその中央には一端が開口２２に連通し、他端は本体ケース２１の後端まで延在する中央通路２５を有し、連通管１０を上下動自在に収納支持している。
【０００９】
２６は一端が連通管１０に回転自在に支持され、他端が電気掃除機本体（図示せず）に接続される吸気パイプ、２７は円柱状にアルミニウム材やプラスチック材より形成されたロータ２８とこのロータ２８の外周部に複数の螺旋状に形成された支持溝２９に挿入固定された清掃体３０とロータ２８の両端に有する軸棒３１と片方の軸棒３１の近傍に設けられた歯車が形成された減速体３２とにより構成された回転ロータであり、開口２２の長手方向の両端に固定された軸受け３３に軸棒３１が回転自在に支持され、清掃体３０の自由端３４はその回転時に開口２２より突出される。
【００１０】
清掃体３０は、織布や不織布等より成る清掃シート３５等の清掃部材と、可撓性を有するゴムや、プラスチックおよび軟質金属等で作られる直線状の芯材３６より成り芯材３６を挟んで清掃シート３５を２つ折りにして形成される基部３７より構成されている。清掃体３０は基部３７がロータ２８に複数設けられている支持溝２９に挿入固定されるので、清掃シート３５の２列に形成された自由端３４は各々フリーに形成される。なお、清掃体３０の基部３７の幅ａは、ロータ２８に複数設けられている支持溝２９の開口幅ｂよりも大きく形成することで、圧入嵌合となり基部３７が支持溝に確実に支持される。
【００１１】
３８は回転ロータ２７を回転させる電動機より成る駆動体で、軸３９には減速用の歯車より成る減速体３２Ａが固定されている。４０は減速体３２と減速体３２Ａに巻回された伝達用のベルトである。
【００１２】
このように構成された床ノズル２０は、掃除機本体（図示せず）の運転に伴い外気は開口２２より中央通路２５を通過し、吸気パイプ２６を介して前記掃除機本体（図示せず）に吸引される。
この時、駆動体３８も回転し、その回転は減速体３２やベルト４０により回転ロータ２７に伝達される。回転ロータ２７に有する清掃体３０も当然回転し、その自由端３４は開口２２より突出して清掃する床面に回転しながら衝突し、床面に付着した塵埃や散乱したゴミ等を開口２２内に直接かき上げたりして、吸引される外気流に塵埃を乗せる。
【００１３】
この時、回転ロータ２７は高速回転しているため、清掃体３０には遠心力が働き、更に清掃体３０の自由端３４は床面に回転しながら当接しているために床面との間に摩擦力も生じる。これらの作用により清掃体３０はロータ２８の支持溝２９から抜けようとするが、清掃体３０において、基部３７の幅ａは、清掃シート３５に挟持される芯材３６によって、ロータ２８に設けられた支持溝２９の開口幅ｂよりも大きくなるように設定されているため、清掃体３０がロータ２８の支持溝２９から抜けることはない。この様に簡単な構造となっているため、余計な加工、成形等を必要とせず、確実かつ簡単に清掃体３０の抜けが防止できる。また、自由端３４は２列で構成されるため床面をたたく効果が２倍となる。
【００１４】
なお、回転ロータ２７の回転を行う為の駆動体３８を電動機で説明したが、前記掃除機本体（図示せず）に収納される電動送風機（図示せず）の吸引力によりファンを回転させたり、床ノズル２０の走行用車輪（図示せず）の回転等を用いて駆動体３８を形成してもよいものである。
【００１５】
実施の形態２
実施の形態２（請求項１の発明）を図７に基づいて説明する。
清掃体３０は、織布や不織布等より成る清掃シート３５Ａと、可撓性を有するゴム、プラスチック、軟質金属等で作られる略直線状の芯材３６Ａとで構成するが、この際、清掃シート３５Ａには１個ないし複数個の位置決め用の固定穴４１が設けられている。これに対して芯材３６Ａにも位置決め用の突起４２が１個ないし複数個設けられている。この突起４２を清掃シート３５Ａの固定穴４１に嵌合させることによって、芯材３６Ａは清掃シート３５Ａの所定の位置に確実に位置決めされて清掃体３０を形成することができる。従って、組み付け時や組み付け後のずれや抜けを防止できる。
【００１６】
なお、これまで述べた実施の形態１および実施の形態２における清掃体３０では、清掃シート３５に挟持して、抜け止め用として芯材３６を用いたが、別の実施の態様（請求項２の発明）を図８および図９に基づいて説明する。
図８に示すように、抜け止めの目的にプラスして清掃シート３５の腰の弱さを補強することができるように、断面を逆Ｔ字形状とした芯材３６Ｂを用いる。これによって、清掃シート３５は、より強い腰で床面に当接し清掃効果を向上させることができる。
【００１７】
また、清掃シート３５の腰を強くするために、図９に示すように、断面形状を円形に補強用片を加えた形状の芯材３６Ｄを用いてもよい。
また、清掃シート３５の腰を強くするための別の実施の態様（請求項３の発明）としては、図１０に示すように、ゴムやプラスチック等の軟質樹脂による軟質ブレード４４を併用している。
【００１８】
次に、請求項４の発明の実施の形態を、図１１および図１２に基づいて説明する。ここでは、清掃部材としての清掃シート３５に加えて天然繊維や化学繊維による毛材４３を併用している。これによって清掃シート３５のみではカバー出来ない、じゅうたんの奥にもぐり込んだ塵埃を毛材４３にてかき出すことが可能となり清掃効果が向上する。
【００１９】
また、図１３、図１４では、清掃部材として清掃シート３５、毛材４３に加えてゴムやプラスチック等の軟質樹脂による軟質ブレード４４を併用している。これによって、じゅうたんを強い力でたたいて繊維の奥にもぐり込んだ塵埃を浮き上がらせたり、あるいは、軟質ブレード４４は他の清掃部材である清掃シート３５や毛材４３の弱い腰を補強する役割りを果たす。このことにより清掃効果を向上させる。
【００２０】
次に、請求項５の発明の実施の形態を図１５に基づいて説明する。ここでは、清掃シート３５の自由端３４にゴムや軟質樹脂等の異材質で作られる重量片４５をコーティングして自由端３４の重量を増加させている。これによって、回転時の遠心力も大きくなり清掃シート３５はより強く床面をたたき清掃効果が向上する。
【００２２】
【発明の効果】
以上の説明から明らかなように、本発明の掃除機用床ノズルの回転ロータは、次に示すような効果を得ることができる。
請求項１の発明では、突起４２が固定穴に嵌合されることによって、芯材が清掃シートの所定の位置に確実に位置決めされるので、組み付け時や組み付け後のずれや抜けを防止できる。
また、請求項２の発明では、断面を円形に補強用片を加えた形状（３６Ｄ）、または、逆Ｔ字形状（３６Ｂ）とした芯材を用いているので、清掃シートの腰が補強され、床面に強く当接して清掃効果を向上させる。
また、請求項３の発明では、清掃シートにゴムやプラスチックの軟質ブレードを併用している。これによって、清掃シートの腰を補強し、じゅうたんを強い力で叩いて繊維の奥にもぐり込んだ塵埃を浮き上がらせ、清掃効果を向上させる。
また、請求項４の発明では、天然繊維や化学繊維からなる毛材を、清掃シートに加えて併用したので、じゅうたんの奥にもぐり込んだ塵埃を掻き出すことが可能となる。
また、請求項５の発明では、清掃シートの自由端にゴムまたは軟質樹脂からなる重量片をコーティングしたので、回転時の遠心力が大きくなり清掃シートはより強く床面をたたき清掃効果が向上する。
【図面の簡単な説明】
【図１】 本発明の実施の形態の回転ロータを組み込んだ床ノズルの横断面図である。
【図２】 同、図１の上ケースを除いた斜視図である。
【図３】 同、回転ロータの斜視図である。
【図４】 同、回転ロータの断面図である。
【図５】 同、回転ロータの清掃体の展開した状態を示す斜視図である。
【図６】 同、清掃体の組付時の状態を示す斜視図である。
【図７】 同、請求項１の清掃体の構成を示す斜視図である。
【図８】 同、請求項２の清掃体の構成を示す回転ロータの部分断面図である。
【図９】 同、請求項２の清掃体の構成を示す回転ロータの部分断面図である。
【図１０】 同、請求項３の清掃体の構成を示す回転ロータの部分断面図である。
【図１１】 同、請求項４の清掃体の構成を示す回転ロータの部分断面図である。
【図１２】 同、請求項４の清掃体の構成を示す回転ロータの部分断面図である。
【図１３】 同、請求項４の清掃体の構成を示す回転ロータの部分断面図である。
【図１４】 同、請求項４の清掃体の構成を示す回転ロータの部分断面図である。
【図１５】 同、請求項５の清掃体の構成を示す回転ロータの部分断面図である。
【図１６】 従来の床ノズル本体の一部を断面にした図である。
【図１７】 同、回転ロータの断面図である。
【符号の説明】
２０  床ノズル
２１  本体ケース
２２  開口
２７  回転ロータ
２８  ロータ
２９ 支持溝
３０ 清掃体
３５、３５Ａ 清掃シート
３６、３６Ａ，３６Ｂ，３６Ｃ，３６Ｄ 芯材
３７ 基部
４１ 固定穴
４２ 突起
４３  毛材
４４  軟質ブレード
４５  重量片
【図１】
0004050810.tif 000002
【図２】
0004050810.tif 000003
【図３】
0004050810.tif 000004
【図４】
0004050810.tif 000005
【図５】
0004050810.tif 000006
【図６】
0004050810.tif 000007
【図７】
0004050810.tif 000008
【図８】
0004050810.tif 000009
【図９】
0004050810.tif 000010
【図１０】
0004050810.tif 000011
【図１１】
0004050810.tif 000012
【図１２】
0004050810.tif 000013
【図１３】
0004050810.tif 000014
【図１４】
0004050810.tif 000015
【図１５】
0004050810.tif 000016
【図１６】
0004050810.tif 000017
【図１７】
0004050810.tif 000018